(57)【要約】【解決手段】  サービングセル上のサブフレームをユーザー機器（ＵＥ）に対して時間多重化するための方法であって、ｅＮｏｄｅＢが、レガシーロングタームエボリューション（ＬＴＥ）伝送フォーマットを用いて動作するサブフレームのセット（５０１、５０２、５０３）の第１のビット（ビット「０」）を用いて、及び、物理ダウンリンク制御チャネル（ＰＤＣＣＨ）制御領域なしに、低減された密度のセル固有基準信号（ＣＲＳ）伝送を含むエボルブド伝送ＮＣＴ（Ｎｅｗ  Ｃａｒｒｉｅｒ  Ｔｙｅｐ）フォーマットを用いて動作するサブフレーム（５０４）の別のセットの第２のビット（ビット「１」）を用いて、ビットマップ指示により通信する。【選択図】  図５
2019216443.tif 000002
【特許請求の範囲】
【請求項１】
方法であって、
ユーザー機器（ＵＥ）のためのサービングセルを実装することを含み、
前記サービングセルが、ＰＤＣＣＨ制御領域なしで低減された密度のＣＲＳ伝送を含むエボルブド伝送フォーマットを用いて動作する、方法。
【請求項２】
請求項１に記載の方法であって、
前記サービングセルが二次サービングセルであり、前記ＵＥが、データ及び制御情報を受信するために必要とされる全てのシステム情報を提供される、方法。
【請求項３】
請求項１に記載の方法であって、
前記ＵＥが、前記サービングセルが前記レガシー伝送フォーマットを用いて動作するか又は前記エボルブド伝送フォーマットを用いて動作するかの指示を提供される、方法。
【請求項４】
請求項３に記載の方法であって、
前記ＵＥが、付加されたサービングセル上のＰＢＣＨの存在を想定するように或いは想定しないように構成される、方法。
【請求項５】
請求項４に記載の方法であって、
前記ＰＢＣＨが前記付加されたサービングセル上に存在しない場合、前記ＵＥが、ＰＢＣＨ伝送のためにその他の方式でリザーブされるリソース要素にレートマッチしない、方法。
【請求項６】
請求項１に記載の方法であって、
前記ＵＥが、付加されたサービングセル上の一次ブロードキャストチャネルをデコードする代わりに前記付加されたサービングセルのための基準として、どのサービングセルのシーケンスフレーム数を用いるべきかについての情報を提供される、方法。
【請求項７】
方法であって、
サービングセル上のサブフレームをユーザー機器（ＵＥ）に時間多重化することを含み、
サブフレームの１セットがレガシーＬＴＥ伝送フォーマットを用いて動作し、
サブフレームの１セットがＰＤＣＣＨ制御領域なしで、低減された密度のＣＲＳ伝送を含むエボルブド伝送フォーマットを用いて動作する、方法。
【請求項８】
請求項７に記載の方法であって、
レガシー又はエボルブド伝送フォーマットに対するサブフレームの前記セットを示すビットマップが前記ＵＥにシグナリングされる、方法。
【請求項９】
請求項７に記載の方法であって、
ＰＤＣＣＨを監視するためサブフレームの前記セットを示すビットマップが前記ＵＥにシグナリングされる、方法。
【請求項１０】
請求項７に記載の方法であって、
前記レガシー伝送フォーマットを用いて動作するサブフレームの前記セットにおいてＰＢＣＨが伝送される、方法。
【請求項１１】
方法であって、
サブフレームの第１の記号からのデータ及び制御情報の周波数多重化を含むエボルブドＬＴＥ伝送フォーマットでユニキャスト及びマルチキャストデータ及び制御を多重化すること、
を含む、方法。
【請求項１２】
請求項１１に記載の方法であって、
エボルブドＰＢＣＨが、サブフレーム０において伝送され、１つ又は２つのアンテナポートでＤＭＲＳを用いてデコードされる、方法。
【請求項１３】
請求項１１に記載の方法であって、
ＥＰＤＣＣＨ及びＰＭＣＨが、サブフレームにおけるシステム帯域幅を介して周波数多重化され、前記方法が、
前記システム帯域幅を物理リソースブロックのＭ個のノンオーバーラップセットに区分化すること、及び
前記セットのいずれがＰＭＣＨを含み得るか及び前記セットのいずれがＥＰＤＣＣＨを含み得るかをビットマップにより示すこと、
を含む、方法。
【請求項１４】
請求項１１に記載の方法であって、
一層長いサイクリックプレフィックスでＰＭＣＨが伝送される、方法。
【請求項１５】
請求項１１に記載の方法であって、
ＰＳＳ、ＳＳＳ、及びＤＭＲＳが、サブフレームの異なる記号にマッピングされる、方法。
【請求項１６】
方法であって、
ユーザー機器（ＵＥ）をレガシーＬＴＥセルに接続すること、
ＮＣＴ（Ｎｅｗ  Ｃａｒｒｉｅｒ  Ｔｙｐｅ）セルでデータ及び制御を受信するように前記ユーザー機器（ＵＥ）を構築すること、
を含み、
前記ＵＥを構築することが、
無線リソース管理（ＲＲＭ）測定に関する情報を制御チャネルで受信することと、
無線リソース管理（ＲＲＭ）測定を提供するためにセルのリストを生成するため前記情報を復調することであって、前記リストにおける各セルに対して伝送フォーマットが示されることと、
チャネル状態情報（ＣＳＩ）基準信号（ＲＳ）を構築するため無線リソース制御を介してＲＲＭ測定のためのレポート基準を受信することと、
前記ＲＲＭレポートを伝送することと、
を含む、方法。
【請求項１７】
請求項１６に記載の方法であって、
前記伝送フォーマットが、レガシー及びＮＣＴの群の一方から選ばれる、方法。
【請求項１８】
方法であって、
時間多重化されたレガシーフォーマット及びＮＣＴ（Ｎｅｗ  Ｃａｒｒｉｅｒ  Ｔｙｐｅ）フォーマットを用いてセルラー通信システムを動作させること、及び
どのフォーマットが複数のサブフレームの各々により用いられるかを示すリストを受信すること、
を含む、方法。
【請求項１９】
請求項１８に記載の方法であって、
前記リストが無線リソース制御（ＲＲＣ）シグナリングにより通信される、方法。
【請求項２０】
請求項１８に記載の方法であって、
前記リストがビット値「０」及び「１」で構成され、「１」のビット値が前記サブフレームが一方の伝送フォーマットのものであることを示し、「０」のビット値が前記サブフレームが他方の伝送フォーマットのものであることを示す、方法。
【発明の詳細な説明】
【技術分野】
【０００１】
本願は、ワイヤレス通信に関し、特に、基地局に接続されるユーザー機器に関連する。
【背景技術】
【０００２】
セルラー通信ネットワークは、電話通信、データ、ビデオ、メッセージング、チャット、及びブロードキャストなどの通信サービスを提供するため、多数のワイヤレス端子デバイス及び多数の基地局を組み込む。多数のワイヤレス端子が、基地局（ＢＳ）により制御されるサービングセルに接続され得る。広く用いられているセルラーネットワークにおいて用いられる典型的なアクセス方式には、周波数分割多元接続（ＦＤＭＡ）、時分割多元接続（ＴＤＭＡ）、符号分割多元接続（ＣＤＭＡ）、直交周波数分割多元接続（ＯＦＤＭＡ）、単一キャリア周波数分割多元接続（ＦＤＭＡ）、又はそれらの組み合わせが含まれる。基地局（ＢＳ）はまた、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）におけるＮｏｄｅＢ、又は、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）により特定されるロングタームエボリューションにおけるエボルブドＮｏｄｅＢ（ｅＮＢ）、基地トランシーバシステム（ＢＴＳ）、アクセスポイント（ＡＰ）、又は何らかのその他の同等の用語で呼ばれることもある。
【０００３】
配置される際、ｅＮｏｄｅＢハードウェアは、概して固定され静止しているが、車に配される際など、幾つかのケースにおいてモバイルであってもよい。ｅＮｏｄｅＢとは対照的に、ワイヤレス端子デバイスはポータブルハードウェアであり得る。ワイヤレス端子デバイスは、通常、ユーザー機器（ＵＥ）、モバイルステーション、携帯電話、パーソナルデジタルアシスタント（ＰＤＡ）、ワイヤレスモデムカードなどと呼ばれる。アップリンク（ＵＬ）通信が、固定の又はモバイルのＵＥからｅＮｏｄｅＢへの通信を指すのに対し、ダウンリンク（ＤＬ）通信は、ｅＮｏｄｅＢから固定の又はモバイルのＵＥへの通信を指す。各ｅＮｏｄｅＢが、モバイル端末と直接通信するために用いられる無線周波数トランスミッタ及びレシーバを含み、モバイル端末は、その周辺で自由に移動するか或いは固定された場所にある。同様に、各ＵＥが、ｅＮｏｄｅＢと直接通信するために用いられる無線周波数トランスミッタ及びレシーバを含む。
【０００４】
図１は、例示のワイヤレステレコミュニケーションネットワーク１００を示す。この例示のテレコミュニケーションネットワークは、基地局１０１、１０２、及び１０３を含むが、オペレーションにおいて、テレコミュニケーションネットワークは必然的により多くの基地局を含む。基地局１０１、１０２、及び１０３（ｅＮＢ）の各々は、対応するカバレッジエリア１０４、１０５、及び１０６にわたって動作可能である。各基地局のカバレッジエリアはセルに更に分割される。図示されるネットワークにおいて、各基地局のカバレッジエリアが３つのセルに分割される。ハンドセット又は他のユーザー機器（ＵＥ）１０９をセルＡ１０８に示す。セルＡ１０８は、基地局１０１のカバレッジエリア１０４内にある。基地局１０１は、ＵＥ１０９への伝送を送信し、ＵＥ１０９からの伝送を受信する。ＵＥ１０９がセルＡ１０８から出て、セルＢ１０７へ移動するにつれて、ＵＥ１０９は基地局１０２にハンドオーバーされる。ＵＥ１０９は基地局１０１と同期化されるので、ＵＥ１０９は、基地局１０２へのハンドオーバーを開始するために、同期されていないランダムアクセスを用いることができる。
【０００５】
図２は、ＬＴＥワイヤレスネットワークにおける、図１に図示するようなものなどのＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）２００とコアネットワーク（ＣＮ）２１０との間の関係を示す。ｅＮｏｄｅＢ２０３及び２０４が、Ｓ１シグナリングインタフェース２０５を介してＭＭＥ（Ｍｏｂｉｌｉｔｙ  Ｍａｎａｇｅｍｅｎｔ  Ｅｎｔｉｔｙ）２１１及びサービングゲートウェイ２１２と通信する。ＵＥ２０１及び２０２が、それぞれｅＮｏｄｅＢ２０３及び２０４とエアインタフェースを介して通信する。この例示では２つのｅＮｏｄｅＢを示すが、配されるネットワークにおいて同じＭＭＥに接続される一層多くのｅＮｏｄｅＢがあり、１つのｅＮｏｄｅＢが幾つかのＭＭＥに接続され得る。Ｅ−ＵＴＲＡＮにおいて、ｅＮｏｄｅＢは、Ｘ２インタフェース２０６を介して互いと通信し得る。
【０００６】
＜ＬＴＥシステムの説明＞
Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）としても知られているＬＴＥワイヤレスネットワークは、３ＧＰＰワーキンググループ（ＷＧ）により標準化されている。ＯＦＤＭＡ及びＳＣ−ＦＤＭＡアクセス方式が、それぞれ、Ｅ−ＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）の一部として、Ｅ−ＵＴＲＡＮのダウンリンク（ＤＬ）及びアップリンク（ＵＬ）のために用いられる。ここで図３を参照すると、レガシーＬＴＥ  ＤＬ伝送フォーマットが図示されており、サブフレームとしても知られている、１ミリ秒（ｍｓ）伝送時間インタバル（ＴＴＩ）での物理チャネルの時間周波数リソースマッピングを示す。ダウンリンク制御プレーン（ｃｏｎｔｒｏｌ−ｐｌａｎｅ）及びユーザープレーン（ｕｓｅｒ−ｐｌａｎｅ）データが、物理ダウンリンク制御チャネル（ＰＤＣＣＨ）又は拡張された物理ダウンリンク制御チャネル（ＥＰＤＣＣＨ）によりスケジュールされ、実際のデータは物理ダウンリンク共有チャネル（ＰＤＳＣＨ）で伝送される。ＰＤＳＣＨ及びＥＰＤＣＣＨのためのリソースアロケーションのための最小粒度（ｇｒａｎｕｌａｒｉｔｙ）は、物理リソースブロック（ＰＲＢ）対である。制御領域３０１が、ＰＤＣＣＨ、ＰＨＩＣＨ（Ｐｈｙｓｉｃａｌ  Ｈｙｂｒｉｄ  Ａｕｔｏｍａｔｉｃ  Ｒｅｐｅａｔ  ｒｅＱｕｅｓｔ  Ｉｎｄｉｃａｔｏｒ  Ｃｈａｎｎｅｌ）及びＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）を含むＤＬ制御シグナリングを含む。共通及び専用の制御情報がＰＤＣＣＨで伝送され、一方、存在する場合、ＥＰＤＣＣＨ３０５、３０６で専用制御情報が伝送される。セル固有（ｃｅｌｌ−ｓｐｅｃｉｆｉｃ）基準信号（ＣＲＳ）が、１つ又は複数のアンテナポートで伝送され、無線リソース管理（ＲＲＭ）及び無線リンク監視（ＲＬＭ）機能のため、及びＰＤＣＣＨでの制御情報の復調及びＰＤＳＣＨでのデータ伝送のために用いることができる。代替として、データ又は制御情報を含むＰＲＢ内のみで伝送される、専用の復調基準信号（ＤＭＲＳ）を用いてＰＤＳＣＨ（３０２、３０３、３０４）及び／又はＥＰＤＣＣＨ（３０５、３０６）を復調するようにＵＥが構成される。ＵＥによる初期アクセスに必要な重要なセル情報が物理ブロードキャストチャネル（ＰＢＣＨ）で伝送され、その他のシステム情報及びページング情報がＰＤＳＣＨで伝送される。ＥＰＤＣＣＨ及びＰＤＳＣＨはシステム帯域幅にわたって周波数多重化され、図３は、３つのＰＤＳＣＨ領域３０２、３０３、３０４、及び２つのＥＰＤＣＣＨ領域３０５及び３０６への区分化を図示する。チャンネル状態情報基準信号（ＣＳＩ−ＲＳ）又は位置決め基準信号（ＰＲＳ）などの付加的な信号もサブフレームにおいて伝送され得る。
【０００７】
ユニキャスト及びマルチキャストデータは、同じキャリアで伝送され得る。ユニキャストは、各ＵＥへの専用接続を備えた、ネットワークとＵＥの各々との間の双方向ポイント・ツー・ポイント又はポイント・ツー・マルチポイント伝送で構成される。ＵＥのグループへのマルチキャストデータ伝送は、エボルブド・マルチメディア・ブロードキャスト・マルチキャスト・サービス（Ｅ−ＭＢＭＳ）特徴によりサポートされ、ダウンリンク・オンリー・マルチポイント・ツー・マルチポイント接続で構成される。ＭＢＭＳサービスに加入されたＵＥのみが内容を受信する。ＭＢＭＳ単一周波数ネットワーク（ＭＢＳＦＮ）伝送をサポートするようにサブフレームのサブセットを定義することによって、ユニキャスト及びマルチキャストデータの時間共有が達成される。図４はＭＢＳＦＮサブフレーム４００を示す。非ＭＢＳＦＮ領域４０１が、ＰＤＣＣＨ、ＰＨＩＣＨ、及びＰＣＦＩＣＨを含み、アップリンクデータ伝送をスケジュールするため、及びＵＥのグループのための電力制御コマンドをシグナリングするためにＰＤＣＣＨが用いられ得る。ＣＲＳが、前述のチャネルの復調のため非ＭＢＳＦＮ領域４０１において伝送される。ＭＢＳＦＮ領域４０２は、１つ又は複数のＭＢＭＳサービスに加入されたＵＥのための物理マルチキャストチャネル（ＰＭＣＨ）でマルチキャストデータを伝送するために用いられる。ＭＢＳＦＮエリアにおいて、同期されていないｅＮｏｄｅＢのセットが、ＭＢＳＦＮサブフレームにおけるマルチキャストデータを共同で伝送し得、それにより、受信品質を向上させる。そのため、ＭＢＳＦＮ基準信号（ＭＢＳＦＮ−ＲＳ）が、ＰＭＣＨの復調のためＭＢＳＦＮ領域４０２において用いられる。
【発明の概要】
【０００８】
セルラーネットワークにおける現在の及び将来のトレンドは、モバイルインターネットデバイスが急速に採用されていること及びそれに関連するデータ要求の高い（ｄａｔａ−ｄｅｍａｎｄｉｎｇ）応用例に部分的に起因して、データトラフィックにおける急激な成長を予測している。増大されるトラフィック需要は、特にネットワーク内に配されるセルが多くなるにつれて、エネルギー保存の必要性に拍車をかけるであろう。残念なことに、現在の基地局は、典型的に、セルにおいてサービスされている任意のユーザー機器（ＵＥ）が実際にあるか否かに関わらず、制御チャネル及びセル固有基準信号を伝送する。
【図面の簡単な説明】
【０００９】
【図１】各々３つのセクターから成る３つのマクロセルサイトの従来の同種（ｈｏｍｏｇｅｎｏｕｓ）ネットワーク配置の図式説明である。
【００１０】
【図２】ＬＴＥネットワークのＥ−ＵＴＲＡＮとコアネットワークとの間の関係の説明である。
【００１１】
【図３】現在のＬＴＥ  ＤＬ伝送フォーマットを示し、ユニキャストデータ及び制御のための物理チャネルのマッピングを図示する。
【００１２】
【図３Ａ】エボルブドＬＴＥ  ＤＬ伝送フォーマットを示し、ユニキャストデータ及び制御のための物理チャネルのマッピングを図示する。
【００１３】
【図４】現在のＬＴＥ  ＤＬ伝送フォーマットを示し、ＭＢＳＦＮ及び非ＭＢＳＦＮ領域へのＭＢＳＦＮサブフレームの区分化を図示する。
【００１４】
【図５】レガシー及びエボルブド伝送フォーマットのための無線フレームにおけるサブフレームの割り当て（ａｌｌｏｃａｔｉｏｎ）を示すビットマップである。
【００１５】
【図６】ＦＤＤ及びＴＤＤ両方のためのエボルブド伝送フォーマットのための通常及びＭＢＳＦＮサブフレームの例示のマッピングを示す。
【００１６】
【図７】時間周波数グリッドでのチャネル及び信号のマッピング、即ち、（ａ）グループ固有ＲＳとの衝突を避けるためのＰＳＳ／ＳＳＳの移動、及び（ｂ）ＰＳＳ／ＳＳＳとの衝突を避けるためのＥＰＢＣＨ領域へのグループ固有ＲＳの移動、を示す。
【００１７】
【図８】エボルブド伝送フォーマットのＭＢＳＦＮサブフレームにおけるＰＭＣＨ及びＥＰＤＣＣＨのマッピングを示す。
【００１８】
【図９】エボルブド伝送フォーマットでのＦＤＤ及びＴＤＤ両方のためのＰＳＳ及びＳＳＳの幾つかの例示のマッピングを図示する。
【図１０】エボルブド伝送フォーマットでのＦＤＤ及びＴＤＤ両方のためのＰＳＳ及びＳＳＳの幾つかの例示のマッピングを図示する。
【図１１】エボルブド伝送フォーマットでのＦＤＤ及びＴＤＤ両方のためのＰＳＳ及びＳＳＳの幾つかの例示のマッピングを図示する。
【発明を実施するための形態】
【００１９】
セルラーデータトラフィックにおけるこの急激な成長に対処するためにセルラーネットワークが進化するにつれて、トラフィックの多くが室内及び屋外配置両方のシナリオにおいてホットスポットに局地化されるため、障害がもたらされることが分かってきている。異種（ｈｅｔｅｒｏｇｅｎｅｏｕｓ）ネットワークがますます一般的になってきており、その場合、ホットスポットにおける容量を増大するため及び／又はセルラーカバレッジを改善するために、低電力基地局により制御される小さなセルが配置される。３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）ロングタームエボリューション（ＬＴＥ）システムにおいて、エボルブドＮｏｄｅＢ（ｅＮＢ）としても知られている基地局は、セル固有基準信号（ＣＲＳ）及び時間多重化物理ダウンリンク制御チャネル（ＰＤＣＣＨ）を常に伝送する。しかし、セル固有基準信号及び時間多重化物理ダウンリンク制御チャネル（ＰＤＣＣＨ）を常に伝送することは、トラフィック及び需要が増大するにつれて問題となる。
【００２０】
＜エボルブド伝送フォーマットの説明＞
３ＧＰＰ無線アクセスネットワーク（ＲＡＮ）標準化団体は、「常時オン」ＤＬ伝送モードから「オンデマンド」モードへの進化に関与するエネルギー効率の良い伝送に対処するために様々な対策を取っている。１つのこのような手法は、エボルブドＤＬ伝送フォーマットの導入であり、これは、復調のためＣＲＳに依存するＰＤＣＣＨ、ＰＨＩＣＨ、及びＰＣＦＩＣＨを含む、レガシーダウンリンクセル固有基準信号及び制御チャネルがないことにより特徴づけられる。ここで図３Ａを参照すると、ＰＤＳＣＨ３１２、３１３、３１４及びＥＰＤＣＣＨ３１５、３１６はサブフレーム全体にわたる。ＣＲＳは、時間ドメイン、及び任意選択で、周波数ドメインにおいて、低減された密度で伝送される。例えば、ＣＲＳは、５ｍｓ周期性の単一アンテナポートで伝送され得、全システム帯域幅又は低減された帯域幅のいずれかを占め得る。レガシー制御信号及びＣＲＳを取り除くことで、軽負荷又は無負荷セルのための著しいエネルギー節約が提供され得る。これは、そのセルにＵＥがないとき５つサブフレームのうちの１つが伝送のため用いられる場合、最大８０％のエネルギー節約となる。また、レガシー制御信号及びＣＲＳを取り除くことで、データ伝送のために用いられ得るリソースが開放され、そのため、スペクトル効率及びピークデータレートが増大される。エボルブド伝送フォーマットは、ＮＣＴ（Ｎｅｗ  Ｃａｒｒｉｅｒ  Ｔｙｐｅ）としても知られ得る。しかし、以前のＬＴＥリリースのＵＥは、ＮＣＴ構造を用いて動作するセルに所属する（ａｔｔａｃｈ  ｔｏ）ことができない可能性があるという点が大きな欠点である。
【００２１】
エボルブド伝送フォーマット又はＮＣＴは、キャリアアグリゲーション（ＣＡ）における二次セル（ＳＣｅｌｌ）に対して構成され得るか、或いは、単一セルオペレーション（スタンドアロンモード）に対して構成され得る。ＳＣｅｌｌオペレーションでは、ＮＣＴ−ＳＣｅｌｌのために必要とされるシステム情報全てが、専用シグナリングによりＵＥに提供され得る。当然の疑問は、ＮＣＴがスタンドアロンモードで配される場合もＮＣＴの利点が得られるか否かということである。これは、ＵＥが、初期アクセスで又は異なるセルからのハンドオーバーを介してのいずれかで一次セルとしてＮＣＴに所属することができることを意味する。これは、同期化、ブロードキャスト及びシステム情報の伝送、及びモビリティ制御を含み、セルにアクセスするための新たな手法を必要とし得る。ＣＡベースの又はスタンドアロンのオペレーション両方において、ＯＦＤＭ時間周波数リソースグリッド上に、基準信号、同期化信号、及び物理チャネルを多重化するためにも新たな手法が必要とされる。
【００２２】
ワイヤレスネットワークにおけるエネルギー保存を改善する目標に向かって、ユーザー機器へのデータ伝送がある時間期間に対して基地局伝送を制限することが望ましい。例えば、オフィスビル内に配される小さなセルは、日中はフルパワーで動作し得るが、夜は、この小さなセルは、低減された電力で動作するか又はビル内に誰もいないとき完全にオフにされるべきである。また、低減されたダウンリンク（ＤＬ）シグナリングもＤＬセル間干渉を低減し、これは、セルラートポロジーに付加されるセルが増えるにつれて、容量改善に対するボトルネックとなってきている。
【００２３】
エネルギー効率の良い伝送は、キャリアアグリゲーションにおいてＳＣｅｌｌとしてＮＣＴを構築することにより可能となる。本発明の一実施例は、ＳＣｅｌｌオペレーション、異機種ネットワーク（ＨｅｔＮｅｔ）における小セルオペレーション、又はそれらの組み合わせに対して、エボルブド伝送フォーマットを構築するための方法を説明する。
【００２４】
ＣＡのケースでは、ＵＥには、専用の無線リソース制御（ＲＲＣ）シグナリングを介してＳＣｅｌｌに関するデータ及び制御情報を受信するために必要な全てのシステム情報が提供される。ｅＮｏｄｅＢは、ＮＣＴとして構成される二次サービングセル（ＳＣｅｌｌ）でのＰＤＳＣＨ受信に対してＵＥを構築する。ｅＮｏｄｅＢは、Ｍａｓｔｅｒ  Ｉｎｆｏｒｍａｔｉｏｎ  Ｂｌｏｃｋ及びＳＩＢ（Ｓｙｓｔｅｍ  Ｉｎｆｏｒｍａｔｉｏｎ  Ｂｌｏｃｋ）に含まれるシステム情報を含むＲＲＣシグナリングによって、全てのシステム情報をＵＥに提供する。１０ｍｓ毎に変化する、ＳＦＮ（Ｓｙｓｔｅｍ  Ｆｒａｍｅ  Ｎｕｍｖｅｒ）などのＵＥにシグナリングされ得ないシステム情報は、ＮＣＴ  ＳＣｅｌｌと、そこから専用のシグナリングを介してＵＥがシステム情報を受信するセルとの両方に対し同一であるとＵＥにより想定される。従って、ＰＢＣＨはＮＣＴで伝送されない可能性がある。ｅＮｏｄｅＢはまた、ＲＲＣシグナリングを介して、ＳＣｅｌｌがレガシーＬＴＥ伝送フォーマットを用いて動作しているか又はエボルブド伝送フォーマットを用いて動作しているかの指示を提供する。代替として、ＵＥは、既存の又は新たな信号の有無を介して、ＳＣｅｌｌがレガシーＬＴＥ伝送フォーマットを用いて動作しているか又はエボルブド伝送フォーマットを用いて動作しているかを識別することができる。一実施例において、発見信号が、ＳＣｅｌｌを、エボルブド伝送フォーマットを用いて動作していると識別することが可能である。ＮＣＴ指示は、ＤＭＲＳの場所を決定し、この場所は、二重化モード（ＦＤＤ又はＴＤＤ）、サイクリックプレフィックス、又はサブフレームタイプ（通常の又は特殊なサブフレーム）に依存する。ＮＣＴ指示はまた、ＰＢＣＨがＮＣＴで伝送されるか否かを判定し得、その場合、ＵＥは、ＰＢＣＨ伝送のためにその他の方式でリザーブされたリソース要素にレートマッチしない。代替として、前述のＮＣＴ指示に加えて付加的なＲＲＣシグナリングが、ＰＢＣＨが伝送されるか否か、即ち、ＰＢＣＨ伝送のためにリザーブされたリソース要素にレートマッチするか否か、を示し得る。
【００２５】
ＳＣｅｌｌがＮＣＴである場合、レガシーＬＴＥ伝送フォーマットの場合と同様に、ＵＥは、レガシー一次及び二次同期化信号（ＰＳＳ、ＳＳＳ）の検出によってセルサーチを実施する。代替として、ＵＥは、セル検出のために発見信号を用い得る。ＰＳＳ／ＳＳＳは、レガシー伝送フォーマットの場合と同じ時間周波数の場所で伝送される。異なる実施例において、ＰＳＳ／ＳＳＳの場所は異なる。更に別の実施例において、例えば、改善されたエネルギー効率及びセル間干渉低減のためＰＳＳ／ＳＳＳが各無線フレームにおいて伝送されない可能性があり、ＵＥは、ＰＳＳ／ＳＳＳの存在を盲目的に検出し得るか、或いは、代替として、ＰＳＳ／ＳＳＳをサーチするためのサブフレームについての明示的又は暗示的シグナリングを介してネットワークにより通知され得る。
【００２６】
ＳＣｅｌｌオペレーションの他の変形も排除されない。例えば、ＳＣｅｌｌは、一次サービングセルを制御するｅＮｏｄｅＢとは異なる、第２のｅＮｏｄｅＢによって制御され得る。両方のＮｏｄｅＢが、それらのスケジューリング及びＲＲＭ判定をＵＥバックホール接続に対して調整する。
【００２７】
＜単一セルオペレーションにおけるエボルブド伝送フォーマット＞
エボルブド伝送フォーマットのスタンドアロンのオペレーションでは、エネルギー効率、低減されたセル間干渉、及び増大されたスペクトル効率の目標を達成するために種々の新たな手法が必要とされる。
【００２８】
１つのこのような手法は、共有ダウンリンク又はブロードキャストチャネルで共通制御情報を伝送するために復調基準信号（ＤＭＲＳ）を用いることである。低減された密度のＣＲＳがデータ復調のためではなくトラッキングのためのみに用いられる場合、システム情報、ページング通知、及びＵＬ電力制御コマンドを含む共通制御情報の、ＤＭＲＳベースの伝送のために新たな手法が必要とされる。このような手法は共通制御チャネルの仕様を用い、このような手法において、全てのＵＥ、又はＵＥのグループが、制御メッセージスケジューリング共通システム情報、ページング情報、及びグループ電力制御コマンドを監視し得る。別の手法は、ＤＭＲＳベースの伝送を用いて、ＤＬ帯域幅及びシステムタイミング基準（システムフレーム数）など、ハンドオーバーコマンドの事前受信なしにＵＥがセルに所属する必要があるブロードキャスト情報を伝送することである。更に更に別の手法は、新たなモビリティ手順及び測定を含む無線リソース管理（ＲＲＭ）のための、新たなＲＬＭ手順及び測定を含む無線リンクモニタリング（ＲＬＭ）のための、及び、例えばＣＳＩ−ＲＳに基づく、新たな測定及び手順を含むチャネル状態情報（ＣＳＩ）フィードバックのための、ＵＥ固有基準信号の伝送を用いることである。
【００２９】
セル識別及びアクセシビリティのために更に別の手法が必要とされ、ＮＣＴフォーマットを用いるセルへの前のリリースのＵＥのアクセスを妨げるために或る手法が必要とされる。前のリリースにおいて、セルが妨げられるかを判定するために、ＵＥがＭＩＢ及び少なくともＳＩＢ  Ｔｙｐｅ１を取得し得る。ＮＣＴに対してこのレガシー手順に従う場合、前のリリースのＵＥは、特に高度に密集した小セル配置において、セルサーチ及び周波数内（ｉｎｔｒａ−ｆｒｅｑｕｅｎｃｙ）及び／又は周波数間（ｉｎｔｒａ−ｆｒｅｑｕｅｎｃｙ）測定の間かなりのエネルギーを費やし得る。このように、ネットワーク側におけるエネルギー消費の節約は、端子側における増大されたエネルギー消費によりオフセットされる。
【００３０】
従って、ＵＥに対してエボルブド伝送フォーマットを用いて動作するセルに対するアクセスを可能にするため、下記手法が提案される。
【００３１】
一実施例において、ＵＥがＲＲＣ＿ＩＤＬＥ状態にある場合、セル所属は、例えば、リリース８、９、１０、及び１１の従来のＬＴＥ手順に従う。ＵＥは、それがレガシー伝送フォーマットを前提とするため、このセルを保留接続する（ｃａｍｐ  ｏｎ）又はこのセルに所属することができない可能性がある。一方、ＲＲＣ＿ＩＤＬＥ  ＵＥが、それが最後のＮ時間内にＲＲＣ接続を有したＮＣＴを発見する場合（ここでＮは固定値である）、ＵＥは、レガシー伝送フォーマットを用いて動作するセルを介するハンドオーバーなしにＮＣＴへの初期セル所属化を実施し得る。そうでない場合、ＵＥは、レガシー伝送フォーマットを用いて動作するセルをサーチし、それに所属する。ＵＥは、ＲＲＣ＿ＩＤＬＥ状態においてこのセルを保留接続することを選択し得るか、又は、ＲＲＣ＿ＣＯＮＮＥＣＴＥＤ状態に遷移することを選択し得る。
【００３２】
別の実施例において、ＵＥは、ＲＲＣ＿ＣＯＮＮＥＣＴＥＤモードにあり、ＮＣＴを用いて動作するセルにハンドオーバーされる。ハンドオーバーはネットワーク制御されるがＵＥアシストされる。即ち、ネットワークは、エボルブド伝送モードで動作するセルを見つけるため及びレポートするためにＵＥに依存し得る。ｅＮｏｄｅＢは、ＵＥが無線リソース管理（ＲＲＭ）測定をレポートし得るセルのリストを提供することにより、ＵＥをアシストし得る。このリストにおける各セルに対し、ｅＮｏｄｅＢは伝送フォーマット、レガシー又はＮＣＴ、を示す。更に別の実施例において、物理セルＩＤ（ＰＣＩ）のセットが幾つかの範囲に分かれ、ＵＥは、ＰＣＩの提供されたリストから、それぞれのセルによりどの伝送フォーマットが用いられるかを推測し得る。例えば、有効ＰＣＩの範囲が２つの範囲に分けられ、その範囲の各々が、増大する順で連続するセルＩＤを含む場合、ＰＣＩ  ０を含むセットはレガシー伝送フォーマットを用いて動作するセルに関連付けられ、一方、ＰＣＩ  ０を含まないセットはＮＣＴ構造に関連付けられる。
【００３３】
一実施例において、基準信号受信電力（ＲＳＲＰ）及び基準信号受信品質（ＲＳＲＱ）の測定を含むＲＲＭ測定が、チャネル状態情報基準信号（ＣＳＩ−ＲＳ）で実施される。ＣＳＩ−ＲＳ構成は、ｅＮｏｄｅＢからＵＥへのＲＲＣシグナリングにより構成される。一実施例において、ＵＥがＲＲＭ測定を実施し得るセルのリストにおいて、ｅＮｏｄｅＢは対応するＣＳＩ−ＲＳ構成を提供する。異なる実施例において、ＲＲＭ測定は、低減された密度のＣＲＳに対して実施される。更に別の異なる実施例において、ネットワークは、測定を実施するための時間及び／又は周波数リソースにおいてなど、低減された密度のＣＲＳに対して実施された前記ＲＲＭ測定のため付加的なアシスト情報を提供する。更に別の実施例において、ＵＥは、低減された密度のＣＲＳ、ＣＳＩ−ＲＳ、又は任意の他の発見信号を用いて測定が実施されるか否かに関係なく、ＣＳＩプロセスと呼ぶこともある、幾つかのこのような構成を備えて構成される。
【００３４】
別の実施例において、ｅＮｏｄｅＢは、周期的、事象トリガ、又は事象トリガ／周期的測定を含むＲＲＭ測定目的のためのレポート基準を備えてＵＥを構成し得る。ｅＮｏｄｅＢは更に、レポートがトリガされたＰＣＩのみをレポートするようにＵＥを構築し得る。別の実施例において、ｅＮｏｄｅＢは、ＰＣＩだけでなく、関連するＲＲＭ測定結果もレポートするようにＵＥを構築する。また、レポート基準は、セル測定がサービングセルより或る閾値だけ良好である場合、ＵＥがセルＩＤ及び関連する測定のみをレポートするようにオフセットを含み得る。ｅＮｏｄｅＢはその後、レポートされたセルＩＤがＮＣＴであるか否かをルックアップするためにＮＲＴ（Ｎｅｉｇｈｂｏｒ  Ｒｅｌａｔｉｏｎ  Ｔａｂｌｅ）を用い得る。ｅＮｏｄｅＢはまた、ＰＣＩの前述のリストに含まれる各近隣セルのためのシステム帯域幅を備えてＵＥを構成し得る。これは、正確なＲＳＲＰ又はＲＳＲＱ測定を促進する。代替として、ＮｏｄｅＢは、ＰＣＩの前記リストに含まれる各近隣セルのための測定帯域幅をＵＥに示す。
【００３５】
更に別の実施例において、ソースｅＮｏｄｅＢは、ターゲットｅＮｏｄｅＢへのハンドオーバーを開始する。ターゲットｅＮｏｄｅＢがハンドオーバーリクエストを確かにアクノリッジする場合、ターゲットｅＮｏｄｅＢは、以下のハンドオーバー情報、即ち、ターゲットセルに関する全てのシステム情報を含むＲＲＣ再構成情報、ターゲットセルにおける伝送フォーマットの指示、をＵＥに提供し、これは、ソースｅＮｏｄｅＢを介してリレーされ、ＵＥは、伝送タイプに応じてターゲットセルに対し同期化を実施する。
【００３６】
リリース１１までの現在のＬＴＥ仕様において、システムフレーム数（ＳＦＮ）は、Ｘ２インタフェースを介してｅＮｏｄｅＢ間で交換されない。従って、ＳＦＮは、ハンドオーバー準備の間ＵＥに送られるモビリティ情報の一部ではない。ＮＣＴフォーマットに対してＰＢＣＨが伝送されない場合、ハンドオーバー手順の間又は後、入ってくるＵＥにＳＦＮを示すためにＮＣＴを用いるターゲットセルのための手段はない。レガシー伝送フォーマットを用いて動作するセルからＮＣＴフォーマットを用いて動作するセルへのハンドオーバーを促進するために新たな手法が必要とされる。
【００３７】
この問題を解決するため、ＵＥが、どのセルのＳＦＮをターゲットセルのための基準ＳＦＮとして用い得るかを示すＲＲＣ情報要素がモビリティ制御情報に含まれる。言い換えると、ＵＥは、前記プロキシセルのＰＢＣＨをデコードすることによって決まるそのＳＦＮが、ターゲットセルの基準ＳＦＮとして用いられるプロキシセルをシグナリングされる。ＲＲＣ情報要素は、レガシー伝送フォーマットを用いて動作する前記プロキシセルのＰＣＩを含み得る。モビリティ制御情報は、ＮＣＴを用いるターゲットｅＮＢにより用意される。ターゲットｅＮＢは、保守運用機能（ＯＡＭ）情報を通して又はそのＮＲＴ（Ｎｅｉｇｈｂｏｒ  Ｒｅｌａｔｉｏｎ  Ｔａｂｌｅ）を介して、適切なＰＣＩを決定することができる。別の実施例において、ターゲットセルのＳＦＮのための基準セルは、ソースｅＮＢにより明示的に与えられる。即ち、ソースセルのＰＢＣＨにおいてブロードキャストされたＳＦＮが、ＮＣＴを用いるターゲットセルのための基準ＳＦＮである。更に別の実施例において、モビリティ制御情報に含まれるＲＲＣ情報要素が、ターゲットセルの実際のＳＦＮ、又は代替として、ＵＥが前記プロキシセルのＳＦＮに適用し得るオフセット、を示す。
【００３８】
ターゲットセルのための基準ＳＦＮを提供するモビリティ手法は、ターゲットｅＮＢがレガシーキャリアを用いるがセル領域拡張（ＣＲＥ）において動作するときにも有利である。このようなシナリオにおいて、ＵＥがハンドオーバーされるとき、ＵＥは、重い干渉を経験し、ターゲットセルのＰＢＣＨを信頼性を持って検出することができない可能性がある。特に、ＵＥがＰＢＣＨ干渉相殺レシーバを備えていない場合にそうなる。このモビリティ手法は、ネットワークに一層大きなＣＲＥバイアスを構成させ得、それにより、特に、高度なレシーバを備えてないＵＥで、ＵＥが重負荷から軽負荷セルへ移動されるとき、一層大きなオフロード利得を促進する。従って、ターゲットセルがレガシーを用いるか又はＮＣＴ伝送フォーマットを用いるかに関わらず、ＳＦＮ基準がモビリティ制御情報に含まれ得る。より一般的には、この提案されたモビリティ技術は、ＵＥがターゲット二次サービングセルのＰＢＣＨを信頼性を持って検出できないとき常に構成され得、前記セルは、サービングｅＮｏｄｅＢ又は異なるｅＮｏｄｅＢにより制御される。また、セルは、レガシー伝送モードを用いて動作され得るが、ＰＢＣＨは、このようなセルを制御するｅＮｏｄｅＢにより伝送されない。例えば、ＵＥは、データを複数のｅＮｏｄｅＢへ送信するように及び複数のｅＮｏｄｅＢからデータを受信するように構成され得る。このような場合、１つのｅＮｏｄｅＢのみが、ブロードキャストチャネルを伝送し得（即ち、マスターｅＮｏｄｅＢ）、他のｅＮｏｄｅＢ（即ち、二次ｅＮｏｄｅＢ）データ又は専用の制御情報のみを伝送する。このような配置において、提案される手法は、マスターｅＮｏｄｅＢにより伝送されるＰＢＣＨから二次ｅＮｏｄｅＢにより制御されるセルのためのＳＦＮを得るために用いられる。
【００３９】
＜レガシー及びエボルブド伝送フォーマット両方の混合サブフレームの時間多重化＞
前述のように、ＮＣＴフォーマットは下位互換性がない。従って、セルラーオペレータは、接続されるＵＥ全てがこの特徴をサポートするセルにおいてこの伝送フォーマットを用いない可能性がある。また、それは、マクロセルではなく小さなセルに一層適切であるように思われ、それらがカバレッジを提供し全ＵＥへのサービスの最小品質を確実にするので、それらはオフにされない可能性がある。また、ＰＤＣＣＨ伝送がない場合、ブロードキャスト、システム情報、及びページングを含む、共通制御シグナリングを送るために新たな手法が必要とされる。
【００４０】
ＮＣＴのこれらの欠点に対処するための一つの解決策は、レガシー及びエボルブド伝送フォーマット両方を動作させるサブフレームの時間ドメイン多重化による。ｅＮｏｄｅＢは、ＵＥに、レガシー又はエボルブド伝送構造のいずれかを用いて動作するサブフレームのセットを示し得る。このサブフレーム指示は、ＲＲＣシグナリングによりＵＥに通信される。一実施例において、サブフレーム指示はビットマップの形式である。ビット値「１」がそのサブフレームがＮＣＴフォーマットのものであることを示し、一方、ビット値「０」がそのサブフレームがレガシー伝送フォーマットのものであることを示す。即ち、前記サブフレームは、時間多重化された制御領域、及びユニキャスト又はマルチキャストデータ領域のいずれかを含む。ここで図５を参照すると、１つの無線フレームに対し長さ１０の例示のビットマップが示されている。他のビットマップサイズも可能である。サブフレーム５０１、５０２、５０３は、レガシー伝送フォーマットを用い、ここで、ＵＥは、共通及び専用の制御シグナリングのためにＰＤＣＣＨを監視し、このサブフレームにおいて伝送されるチャネルの幾つかの復調のためにＣＲＳが用いられ得る。ＵＥはまた、無線リンクモニタリング（ＲＬＭ）又は無線リソース管理（ＲＲＭ）測定のためにこれらのサブフレームを用い得る。ＵＥはまた、サブフレーム５０１、５０２、及び５０３においてＥＰＤＣＣＨを監視するように構成され得る。５０４などの他のサブフレームは、ＮＣＴフォーマットを示す。そのため、これらのサブフレームにおいて、ＵＥは、ＰＤＣＣＨが伝送されないので、ダウンリンク制御情報のためＥＰＤＣＣＨのみを監視する。本発明の異なる実施例において、ＵＥは、ＵＥがＰＤＣＣＨを監視するサブフレームのセットを示すビットマップをシグナリングされる。ＵＥは、ＤＬアサイメント、ＵＬグラント両方、及びグループ電力制御コマンドを監視するように、又はＵＬグラント及びグループ電力制御コマンドのみを監視するように、構成され得る。このサブフレーム指示概念は、（ａ）ユニキャスト及びマルチキャストデータ、及び（ｂ）或るセルにおけるレガシー及びエボルブド伝送フォーマットを用いた伝送、のエネルギー効率の良い多重化のための異なる方法において適用される。
【００４１】
＜制御チャネル及びＰＢＣＨのモニタリング＞
レガシー伝送構造を用いて動作するサブフレームは、ＰＤＣＣＨ領域で構成され、１つ、２つ又は４つのアンテナポートでのＣＲＳ伝送を含む。これらのレガシーサブフレームは、ＰＤＣＣＨの共通サーチ空間で共通制御情報を伝送するために用いられる。レガシーサブフレームのセットは、各無線フレームのサブフレーム０を少なくとも含む。そのためＰＢＣＨが、伝送され、全てのＬＴＥリリースのＵＥにより検出され得る。ＰＤＳＣＨは、全てのサブフレームにおいてＤＭＲＳを用いて復調される。代替として、ＵＥは、レガシーサブフレームにおいてＣＲＳ又はＤＭＲＳを、及びＮＣＴサブフレームにおいてＤＭＲＳのみを用いるデータ復調のために構成される。更に別の実施例において、制御チャネルで受信されるダウンリンク制御情報（ＤＯ）フォーマットは、どの基準信号を復調のために用いるかをＵＥに示す。しかし、ＵＥは、１−、２−又は４−ポートＣＲＳを用いてＰＢＣＨ及びＰＤＣＣＨを復調する。
【００４２】
異なる実施例において、ＵＥは、１−ポートＣＲＳを用いてＰＢＣＨ及びＰＤＣＣＨを復調し得る。即ち、多くて１−ポートＣＲＳが、混合サブフレーム伝送フォーマットで伝送される。ＲＲＭ、ＲＬＭ、及び／又はＣＳＩ測定が、１−ポートＣＲＳを搬送するサブフレームにおいて実施される。
【００４３】
＜ＰＭＣＨ、ＰＤＳＣＨ、ＥＰＤＣＣＨ、及びＰＤＣＣＨの多重化＞
１つのセルにおいてＮＣＴフォーマットを用いて、及び両方のセルが同じキャリア周波数で展開されるとき異なるセルにおいてレガシー伝送フォーマットを用いて、動作することが可能である。ＮＣＴフォーマットは、小さなセルにおける全てのサブフレームにおいて排他的に、又は、エボルブド伝送フォーマットを用いる伝送のために構成されるサブフレームにおいてのみ、用いられる。このようなシナリオにおいて、異なる伝送フォーマットを用いて動作するセルで構成されるＭＢＳＦＮエリアにＭＢＭＳサービスが提供され得る。例えば、異機種ネットワークにおいて、マクロセル及び小さなセルは、それぞれ、共有キャリア周波数でレガシー及びエボルブド伝送フォーマットを用いて動作し得る。従って、マクロセル及び小さなセル両方のｅＮＢがＭＢＳＦＮ伝送に参加する場合、少なくとも小さなセルにおいてＰＭＣＨを搬送するサブフレームに対し、ＰＭＣＨ伝送は、マクロセルにおけるＰＭＣＨ伝送と同期化されるべきである。その結果、小さなセルは制御領域を含まないので、マクロ及び小さなセル層にわたってＭＢＳＦＮ伝送を整合させるため、小さなセル層における最初の１つ又は２つのＯＦＤＭ記号が浪費される。
【００４４】
この浪費に対処するため、小さなセルのｅＮＢは、前記１つ又は２つのＯＦＤＭ記号においてＰＤＣＣＨを伝送し得る。これにより、将来のサブフレームにおけるＰＵＳＣＨでのアップリンクデータ伝送のスケジューリングが可能となる。エボルブド伝送構造を用いて動作するセルにおけるＭＢＭＳサービスにＵＥが加入するか否かに関わらず、どのサブフレームがＰＭＣＨ伝送のためにリザーブされるかを示すためビットマップがＵＥにシグナリングされる。ＰＭＣＨが示されるサブフレームにおいて、ＵＥは、レガシー伝送構造におけるようにＰＤＣＣＨを監視する。ＵＥ  ＰＤＣＣＨ処理を低減するための更なる実施例として、ＵＥは、ＵＬグラント又はグループ電力制御コマンドのいずれかのためＰＭＣＨサブフレームにおいてＰＤＣＣＨのみを監視するように構成され得る。更に別の実施例において、ＰＭＣＨが示されるサブフレームにおいて、ＵＥは、ＤＭＲＳベースのＰＤＳＣＨ伝送をスケジュールするダウンリンク制御情報のためレガシー伝送構造におけるようにＰＤＣＣＨを監視する。このようなＰＤＳＣＨ伝送の開始ＯＦＤＭ記号は、このようなサブフレームのレガシー伝送構造において受信されるＰＣＦＩＣＨにより示されるか、又は一層高次の層により構成される。これにより、ネットワークが、ＰＭＣＨが示されるがＰＭＣＨがスケジュールされないか、又はＰＭＣＨがスケジュールされるがバックホール接続における輻輳に起因してｅＮｏｄｅＢによりデータが受信されていないサブフレームにおいてユニキャスト伝送をスケジュールすることが可能となる。ＰＭＣＨが示されないサブフレームにおいて、ＵＥはＥＰＤＣＣＨを監視する。
【００４５】
＜エボルブド伝送フォーマットにおけるユニキャスト／マルチキャストデータの多重化＞
ＭＢＳＦＮエリアにおいて、同期化されたｅＮｏｄｅＢのセットが、ＭＢＳＦＮサブフレームにおいてマルチキャストデータを共同で伝送する。ｅＮｏｄｅＢは地理的に散在する場所にあるので、ＭＢＳＦＮエリアにおいてＵＥにより見られる大きな遅延スプレッドをサポートするため、長さ１６．６７マイクロ秒の拡張されたサイクリックプレフィックス（ＣＰ）がＬＴＥ規格において規定されている。更に一層長いＣＰを可能にすることで、ＭＢＳＦＮエリアの増大もサポートし得る。これは、一層多くの同期されていないｅＮＢがマルチキャスト伝送に参加し得るので、ＵＥにおけるＭＢＳＦＮ組み合わせ利得を増大させる。例えば、ＣＰ長は３３．３３μｓまで倍増され得、同じＣＰオーバーヘッドを維持するため記号長も倍増され得る。この手法は下位互換性がない。即ち、拡張されたＭＢＳＦＮエリアのためのＭＢＭＳサービスは、以前のＬＴＥリリースのＵＥにより享受され得ない。潜在的収入が、必要とされる資本投資をオフセットしない可能性があるので、これは、セルラーオペレータがこのような特徴を提供する動機を低減する。一方、これは下位互換性が問題ではないオペレータには有益である。例えば、ＮＣＴフォーマットは、以前のリリースのＵＥにより現在サポートされないか又はアクセスのために特殊な許可が必要な、周波数帯において用いられる。従って、出願人は、エボルブド伝送フォーマットを用いて動作するセルにおけるユニキャスト及びマルチキャストデータの多重化をサポートするために下記手法を提案する。
【００４６】
一実施例において、ＭＢＭＳ及びユニキャストデータがＮＣＴ伝送フォーマットで時間多重化される。サブフレームの２つのタイプがある。即ち、ユニキャストデータ（ＰＤＳＣＨ及びＥＰＤＣＣＨ）を搬送するための通常のサブフレーム、及びマルチキャストデータのためのＭＢＳＦＮサブフレームである。通常及びＭＢＳＦＮサブフレーム両方に対し、ＰＤＳＣＨ及びＰＭＣＨ伝送は記号０で始まる。サブフレーム０及び５はＭＢＳＦＮサブフレームとして構成されない可能性がある。即ち、ＭＢＳＦＮサブフレーム利用率は８０％で上限となる。
【００４７】
別の実施例において、エボルブド物理ブロードキャストチャネル（ＥＰＢＣＨ）が、無線フレームの第１のサブフレームの第２のスロットにおいて伝送される。代替として、ＥＰＢＣＨは、同じサブフレームの第１のスロットにおいて伝送され得る。更に別の実施例において、ＥＰＢＣＨは、ＰＲＢ対において両方のスロットにわたり得る。ＥＰＢＣＨは、１つ又は２つのアンテナポート上のグループ固有基準信号により復調される。一実施例において、グループ固有ＲＳは、アンテナポート｛７｝、｛８｝、又は｛７、８｝上のＬＴＥリリース１１のＵＥ固有ＲＳと同じ波形及びランダム数生成器を用い得る。｛７、９｝又は｛９、１０｝などの他の組合せも排除されない。ＬＴＥの時間周波数リソースグリッドにおけるこのグループ固有ＲＳの位置は、既存のＵＥ固有ＲＳと同じである。異なる実施例において、ＥＰＢＣＨ  ＲＳの新たなセットが１つ又は２つのアンテナポートで伝送され得、前記ＲＳは、ＯＦＤＭ記号及びＥＰＢＣＨを含むＰＲＢに含まれ得る。
【００４８】
更に別の実施例において、一次及び二次同期化信号（ＰＳＳ／ＳＳＳ）が、ＦＤＤに対し及びＴＤＤに対しサブフレーム０及び５において、ＳＳＳに対しサブフレーム０及び５において、及びＰＳＳに対し１及び６において伝送される。更に更に別の実施例において、ＰＭＣＨはサブフレームのサブセットにおいて伝送される。ＦＤＤでは、ＭＢＳＦＮサブフレームのサブセットは、｛１、２、３、４、６、７、８、９｝から取り出され、ＴＤＤでは、ＭＢＳＦＮサブフレームのサブセットは、｛３、４、７、８、９｝から取り出される。これは、サブフレーム２が常にＵＬであり、サブフレーム６が、既存のＴＤＤ  ＵＬ−ＤＬ構成でＰＳＳを搬送するためである。代替としてＴＤＤでは、ＰＳＳ及びＳＳＳが、ＴＤＤのためサブフレーム０及び５において搬送され得、潜在的なＭＢＳＦＮサブフレームとしてサブフレーム１及び６を開放する。図６は、例示のＦＤＤ及びＴＤＤのためのマッピングを示す。図７は、システム帯域幅の中央の６つのＰＲＢの或るＰＲＢに対するＥＰＢＣＨ、ＰＳＳ／ＳＳＳ、及びＰＭＣＨの例示のマッピングを図示する。図７の（ａ）は、ＮＣＴでの混合ユニキャスト及びマルチキャストデータの時間多重化方式を示す。ＰＳＳ及びＳＳＳは、記号５及び６上のグループ固有（復調）ＲＳとの衝突を避けるためそれぞれ記号１及び２に移される。図７の（ｂ）は、アンテナポート７及び８のための復調ＲＳが、スロット０の記号５／６からサブフレーム０におけるスロット１の記号１及び２へシフトされる代替の実施例を示す。これは、レガシー伝送フォーマットにおけるものと同じＰＳＳ及びＳＳＳの位置を維持する。このマッピング設計により、ＰＲＢ毎に８リソース要素（１−ポートＣＲＳに対し２、及びグループ固有ＲＳに対し４）がＲＳに用いられるので、レガシーＰＢＣＨに対する場合と同じ符号化レートがＥＰＢＣＨに対して可能となる。ＥＰＢＣＨは、ＰＨＩＣＨ構成を必要としない可能性があることに留意されたい。予備のビットの数を５まで減らすことによりＭＩＢ（Ｍａｓｔｅｒ  Ｉｎｆｏｒｍａｔｉｏｎ  Ｂｌｏｃｋ）のためのペイロードが２オクテット（１６ビット）まで低減され得る。これは、レガシーＰＢＣＨに対する１／４０の符号化レートと比較して、（１６＋１６）／４８０＝１／６０（１６ＣＲＣビットを有する）の一層低い符号化レートを提供する。
【００４９】
一実施例において、ＰＭＣＨ伝送のためのサイクリックプレフィックスの長さは、一層大きな遅延スプレッドをサポートするために拡張される。別の実施例において、ＣＰは３３．３３マイクロ秒に設定される。
【００５０】
別の実施例において、マルチキャストトラフィック及び制御チャネル（例えば、ＭＢＳＦＮサブフレーム構成及びＭＣＣＨスケジューリングの場合）の受信をサポートするための制御情報が、拡張された物理ダウンリンク制御チャネル（ＥＰＤＣＣＨ）で共通サーチ空間によりスケジュールされるユニキャストサブフレームにおけるシステム情報のブロードキャストを介して提供される。具体的には、ＥＰＤＣＣＨは、前のＬＴＥリリースにおけるＰＤＣＣＨと同様にマルチキャスト伝送をサポートする物理制御チャネルである。
【００５１】
更に別の実施例において、対になったＵＬキャリアがあるＦＤＤに対し又は１つ又は複数のＵＬサブフレームを有するＴＤＤに対し、ＭＢＳＦＮサブフレームにおけるＵＬグラントのスケジューリングをサポートするために新たな手法が必要とされる。２つの代替例は、オプション１とオプション２である。オプション１は、ＥＰＤＣＣＨ及びＰＭＣＨがＭＢＳＦＮサブフレームにおいて多重化される周波数である。ＰＭＣＨ伝送のための帯域幅
2019216443.tif 000003
はシステム情報ブロードキャストにおいて規定され、ここで、
2019216443.tif 000004
で、ＤＬシステム帯域幅である。ＥＰＤＣＣＨは、図８に示すようにＰＭＣＨ帯域幅の一部ではないＰＲＢのサブセットにおいて構成される。ＰＭＣＨ伝送を含むサブフレームにおいて、ｅＮｏｄｅＢは、例えば、既存の伝送モードＴＭ９及び１０を用いて、リソースアロケーションがスケジューリングＥＰＤＣＣＨのものと重ならないＰＤＳＣＨ伝送のための手順に従うＥＰＤＣＣＨのためにリザーブされるＰＲＢにおいて、ＰＤＳＣＨ伝送をスケジュールし得ることに留意されたい。言い換えると、ユニキャスト及びＰＭＣＨ伝送が、ＭＢＳＦＮサブフレームにおいて周波数ドメインで多重化される。オプション２は、ＵＬグラントのスケジューリングが、レガシー伝送フォーマットのサブフレームにおいてのみ生じる。例えば、ＦＤＤにおける無線フレームのためのＭＢＳＦＮサブフレーム構成が｛１、２、３、４、６、７、８、９｝である場合、対になったキャリアのためのＵＬサブフレームは、次のようにスケジュールされる。サブフレーム０〜４に対するＵＬグラントがサブフレーム０において伝送され、サブフレーム６〜９に対するＵＬグラントがサブフレーム５において伝送される。
【００５２】
＜エボルブド伝送フォーマットにおけるＥＰＤＣＣＨ、ＰＲＳ、及びＰＭＣＨの多重化＞
ＥＰＤＣＣＨ及びＰＭＣＨは、システム帯域幅がＭ個のセットに区分されるとき、同じサブフレームにおいて伝送され得、Ｍ−１セットがＥＰＤＣＣＨの伝送にアサインされ、１セットがＰＭＣＨにアサインされる。これらのＭ−１セットは、部分的に重なり得るが互いに素であり、ＰＭＣＨの伝送に用いられるＭ番目のセットはＥＰＤＣＣＨ伝送にアサインされていない。ＰＭＣＨ及びＥＰＤＣＣＨ伝送に対して構成されるＭ個のセットが全システム帯域幅にわたらない場合、ＥＰＤＣＣＨが、Ｍ個のセットによりカバーされないＰＲＢにおいてＰＤＳＣＨをスケジュールし得る。また、ＰＭＣＨ伝送に対して構成されるサブフレームにおけるＰＤＳＣＨ伝送は、ＥＰＤＣＣＨの伝送のためにアサインされるＭ−１セットの一部であるＰＲＢの幾つかに重なり得る。
【００５３】
一実施例において、Ｍ−１セットの和集合（ｕｎｉｏｎ）は、長さ｛６、１５、２５、５０、７５、１００｝のビットマップを介してＵＥにシグナリングされ、ここで、ビット値「１」は、周波数ドメインにおける対応するＰＲＢ対がＥＰＤＣＣＨに用いられることを示し、「０」のビット値は、対応するＰＲＢ対がＰＭＣＨにアサインされることを示す。他のマッピングも排除されず、主要な概念は、ビットマップが、どのＰＲＢ対がＥＰＤＣＣＨ及びＰＭＣＨに用いられるかを示すということである。代替として、ビット値「０」が、周波数ドメインにおける対応するＰＲＢがＥＰＤＣＣＨに用いられることを示し得る。
【００５４】
別の実施例において、ＰＭＣＨに用いられる周波数ドメインにおけるＰＲＢをＵＥに示すために、組み合わせインデックスが用いられる。
【００５５】
周波数ドメインにおいてＥＰＤＣＣＨ及びＰＭＣＨを多重化することは、拡張されたＣＰのためにのみＰＭＣＨが特定されるので、２つのチャネルがＯＦＤＭ記号において共存するときは常に、拡張されたサイクリックプレフィックス（ＣＰ）でＥＰＤＣＣＨが伝送されることを必要とする。ＵＥが現在ＭＢＭＳに加入されておりそのためＰＭＣＨを受信しているか否かをｅＮＢが知らない可能性があるため、また、ＵＥが復調のためＣＰを知る必要があるため、所与のＯＦＤＭ記号に用いられるＣＰに関してｅＮＢとＵＥとの間の如何なる不明確さも除く方法が必要とされる。ｅＮＢは、一層高次の層による構成を介してＵＥに既知であるビットマップに従って、通常の又は拡張されたサイクリックプレフィックス（ＣＰ）でＥＰＤＣＣＨを伝送し得る。ＰＤＳＣＨ伝送が、ＰＭＣＨ伝送のために構成されるサブフレームにおいてスケジュールされる場合、ＰＤＳＣＨのもののＣＰも、一層高次の層により構成される前述のビットマップに従う。代替として、ＰＤＳＣＨのＣＰは、スケジューリングＥＰＤＣＣＨのＣＰに従い得る。しかし、これには、スケジューリングセルがサービングセルとは異なる場合の特殊な処理が要求され得る（クロス・キャリアスケジューリング）。言い換えると、ＰＭＣＨに対して構成されるサブフレームにおけるＥＰＤＣＣＨスケジューリングＰＤＳＣＨが、その構成要素キャリア上のサブフレームに応じて通常のＣＰ又は拡張されたＣＰを用いて伝送され得るのに対し、ＰＤＳＣＨは一層高次の層によって提供されるビットマップに従う。
【００５６】
このようなビットマップの長さは、６、１０、２４、４０、又は任意の他の整数値であり得る。一実施例において、「１」が、関連するサブフレームにおいて拡張されたＣＰを用いることを示す。別の実施例において、「０」が、関連するサブフレームにおいて拡張されたＣＰを用いることを示す。拡張されたＣＰがＥＰＤＣＣＨ伝送のために用いられるサブフレームは、ＰＭＣＨが伝送される全てのサブフレームを少なくとも含み得る。位置決め基準信号（ＰＲＳ）によるＥＰＤＣＣＨのパンクチャリングを避けるため、周波数リソースがＰＭＣＨ及びＥＰＤＣＣＨを多重化するように区画化される場合、一層高次の層によるＰＲＳ伝送のために構成され、また、ＰＲＳ伝送に対して構成されるサブフレームにおけるＰＭＣＨ区分の一部である、ＰＲＢにおいてのみＰＲＳが伝送され得る。代替として、一層高次の層によるＰＲＳ伝送に対して構成され、また、拡張されたＣＰでのＥＰＤＣＣＨ伝送のためにも示されるＰＲＳ伝送に対して構成されるサブフレームにおけるＰＭＣＨ区分の一部である、ＰＲＢにおいてのみＰＲＳが伝送され得る。
【００５７】
ＭＢＳＦＮエリアにおいて、参加するｅＮＢは、ＰＭＣＨを同じ帯域幅で伝送する必要がある。そのため、第１のｅＮＢが、それがＰＭＣＨの伝送のためにどのＰＲＢを用いることを意図するかを第２のｅＮＢに通知するメッセージを、バックホール接続を介して第２のｅＮＢに伝送し得る。一実施例において、このメッセージは長さ｛６、１５、２５、５０、７５、１００｝のビットマップであり、ここで、「１」は周波数ドメインにおける関連するＰＲＢがＰＭＣＨに用いられることを示す。代替として、「０」が、周波数ドメインにおける関連するＰＲＢがＰＭＣＨに用いられることを示してもよい。別の実施例において、組み合わせインデックスが、このようなメッセージにおいて、ＰＭＣＨに用いられる周波数ドメインにおけるＰＲＢを示すために用いられる。また、第１のｅＮＢがバックホール接続を介して第２のｅＮＢにＰＭＣＨ情報のリクエストを伝送することもでき、この場合、前記第２のｅＮＢは、それがＰＭＣＨの伝送のためにどのＰＲＢを用いることを意図するかを前記第１のｅＮＢに通知するメッセージで応答する。
【００５８】
＜エボルブド伝送フォーマットのためのＰＳＳ／ＳＳＳ／ＤＭＲＳの場所＞
現在のＬＴＥリリースにおいて、ＤＭＲＳは、それがＰＳＳ及びＳＳＳと衝突する場合、システム帯域幅の中央の６つのＰＲＢにおいて伝送されない。低減されたＣＲＳはＰＤＳＣＨ復調に適切又は充分でない可能性があるので、ＵＥＲＳでのＰＤＳＣＨ復調を可能にするために新たな解決策が必要とされる。ＰＳＳ及びＳＳＳの場所は、エボルブド伝送フォーマットを用いて動作するセルに対して変えられる。一実施例において、ＰＳＳ及びＳＳＳの相対的な場所は、伝送フォーマット及び二重化モード間の容易な差異化を可能にするためにレガシー伝送フォーマットに比して変えられる。図９は例示のマッピングを説明し、この例示のマッピングにおいて、ＦＤＤではＳＳＳがＰＳＳに２記号先行し、ＴＤＤではＰＳＳがＳＳＳに３記号先行する。ＴＤＤのためのこのマッピングの更なる利点は、それにより、低減されたＣＲＳが、特殊なサブフレームの第１の記号において伝送される実現性が用意されることである。異なる実施例を図１０に示す。ＦＤＤでは、ＳＳＳがサブフレーム０及び５の最後の記号にマッピングされるのに対し、ＰＳＳは、ＳＳＳに先行する記号、即ち、通常のＣＰでは１３番目の記号及び拡張されたＣＰでは１１番目の記号、にマッピングされる。ＦＤＤについての更に別の実施例が図１１に示され、この場合、ＰＳＳ及びＳＳＳは、それぞれＯＦＤＭ記号１及び２に移される。
【図１】
2019216443.tif 000005
【図２】
2019216443.tif 000006
【図３】
2019216443.tif 000007
【図３Ａ】
2019216443.tif 000008
【図４】
2019216443.tif 000009
【図５】
2019216443.tif 000010
【図６】
2019216443.tif 000011
【図７】
2019216443.tif 000012
【図８】
2019216443.tif 000013
【図９】
2019216443.tif 000014
【図１０】
2019216443.tif 000015
【図１１】
2019216443.tif 000016
【手続補正書】
【提出日】令和1年8月29日(2019.8.29)
【手続補正１】
【補正対象書類名】特許請求の範囲
【補正対象項目名】全文
【補正方法】変更
【補正の内容】
【特許請求の範囲】
【請求項１】
方法であって、
ユーザー機器（ＵＥ）をレガシーＬＴＥ（Ｌｏｎｇ  Ｔｅｒｍ  Ｅｖｏｌｕｔｉｏｎ）セルに接続することと、
ＮＣＴ（Ｎｅｗ  Ｃａｒｒｉｅｒ  Ｔｙｐｅ）セルでデータと制御とを受信するように前記ＵＥを構築することであって、
無線リソース制御（ＲＲＣ）シグナリングを介してキャリア・タイプの指示を受信することと、
無線リソース管理（ＲＲＭ）測定に関する情報を制御チャネルで受信することと、
セルのリストを生成するために前記情報を復調することであって、前記リストにおける各セルに対して伝送フォーマットが示される、前記情報を復調することと、
チャネル状態情報（ＣＳＩ）基準信号を構築するために無線リソース制御を介して前記ＲＲＭ測定のためのレポート基準を受信することと、
前記セルのリストにおける前記セルに対してＣＳＩ基準信号でＲＲＭ測定を行うことと、
前記レポート基準に従って前記ＲＲＭ測定を伝送することと、
を含む、前記ＵＥを構築することと、
を含む、方法。
【請求項２】
請求項１に記載の方法であって、
前記伝送フォーマットが、レガシーとＮＣＴとのグループの１つから選ばれる、方法。
【請求項３】
請求項１に記載の方法であって、
各セルに対する前記伝送フォーマットが前記セルに対する物理セルＩＤから決定される、方法。
【請求項４】
請求項３に記載の方法であって、
物理セルＩＤのセットが幾つかの範囲に分けられる、方法。
【請求項５】
請求項１に記載の方法であって、
前記レポート基準が隣のセルの伝送フォーマットを含む、方法。
【請求項６】
請求項１に記載の方法であって、
前記レポート基準が、いつ前記ＲＲＭ測定が前記ＵＥによって伝送されるかを示す、方法。
【請求項７】
請求項６に記載の方法であって、
前記レポート基準が周期的測定を含む、方法。
【請求項８】
請求項６に記載の方法であって、
前記レポート基準が事象トリガ測定を含む、方法。
【請求項９】
請求項６に記載の方法であって、
前記レポート基準が周期的測定と事象トリガ測定とを含む、方法。
【請求項１０】
方法であって、
ＮＣＴ（Ｎｅｗ  Ｃａｒｒｉｅｒ  Ｔｙｐｅ）セルでデータと制御とを受信するようにユーザー機器（ＵＥ）を構築することであって、
無線リソース制御（ＲＲＣ）シグナリングを介してキャリア・タイプの指示を受信することと、
基地局から、前記ＵＥが無線リソース管理（ＲＲＭ）測定を報告すべきセルのリストを受信することであって、前記リストにおける各セルに対して伝送フォーマットが示される、前記セルのリストを受信することと、
チャネル状態情報（ＣＳＩ）参照信号を構築するために無線リソース制御を介して前記ＲＲＭ測定に対するレポート基準を受信することと、
前記セルのリストにおけるセルに対するＣＳＩ参照信号でＲＲＭ測定を行うことと、
前記レポート基準に従って前記ＲＲＭ測定を伝送することと、
を含む、前記ＵＥを構築すること、
を含む、方法。
【請求項１１】
請求項１０に記載の方法であって、
前記伝送フォーマットがレガシーとＮＣＴとのグループの１つから選ばれる、方法。
【請求項１２】
請求項１０に記載の方法であって、
各セルに対する前記伝送フォーマットが前記セルに対する物理セルＩＤから決定される、方法。
【請求項１３】
請求項１２に記載の方法であって、
物理セルＩＤのセットが幾つかの範囲に分けられる、方法。
【請求項１４】
請求項１０に記載の方法であって、
前記レポート基準が隣のセルの伝送フォーマットを含む、方法。
【請求項１５】
請求項１０に記載の方法であって、
前記レポート基準が、いつ前記ＲＲＭ測定が前記ＵＥによって伝送されるかを示す、方法。
【請求項１６】
請求項１５に記載の方法であって、
前記レポート基準が周期的測定を含む、方法。
【請求項１７】
請求項１５に記載の方法であって、
前記レポート基準が事象トリガ測定を含む、方法。
【請求項１８】
請求項１５に記載の方法であって、
前記レポート基準が周期的測定と事象トリガ測定とを含む、方法。
【請求項１９】
請求項１０に記載の方法であって、
前記ＵＥがＬＴＥ（Ｌｏｎｇ  Ｔｅｒｍ  Ｅｖｏｌｕｔｉｏｎ）ＵＥであり、前記基地局が発展型ＮｏｄｅＢ（ｅＮｏｄｅＢ）基地局である、方法。